(57)【要約】【課題】  係止部を設けたキャスター本体と、上下動制御溝を形設した支持体とから構成され、シンプルな構造ながらキャスターを突出したり、収納したりすることができ、小型から大型の家具に使用できる上下可動キャスター及びその上下可動キャスターを使用した家具を提供する。【解決手段】  キャスターに支持軸を突設すると共に、該支持軸に係止部を設けてなるキャスター本体と、キャスター本体を下方に移動させた時、係止部を係止する受溝を、キャスター本体を上方に移動させた時、キャスターを突出すべく係止部を係止する支持溝を、再度キャスター本体を下方に移動させた時、係止部を係止する受溝を、再度キャスター本体を上方に移動させた時、キャスターを上方に収納すべく係止部を係止する収納溝を設けてなる上下動制御溝を形設してなる支持体とからなることを特徴とする。【選択図】  図７
2006188112.tif 000002
【特許請求の範囲】
【請求項１】
キャスターに支持軸を突設すると共に、該支持軸に係止部を設けてなるキャスター本体と、キャスター本体を下方に移動させた時、係止部を係止する受溝を、キャスター本体を上方に移動させた時、キャスターを突出すべく係止部を係止する支持溝を、再度キャスター本体を下方に移動させた時、係止部を係止する受溝を、再度キャスター本体を上方に移動させた時、キャスターを上方に収納すべく係止部を係止する収納溝を設けてなる上下動制御溝を形設してなる支持体とからなることを特徴とする上下可動キャスター。
【請求項２】
係止部が、水平方向に少なくとも１本突出した軸であることを特徴とする請求項１記載の上下可動キャスター。
【請求項３】
支持体が、円筒状であり、内側に上下動制御溝を形設してなることを特徴とする請求項１又は２記載の上下可動キャスター。
【請求項４】
上下動制御溝が、上部に支持溝及び収納溝を設けると共に、下部に受溝を設けてなることを特徴とする請求項１、２又は３記載の上下可動キャスター。
【請求項５】
上下動制御溝が、上方に支持溝と収納溝を交互に形設すると共に、下方に受溝を連続して形設してなることを特徴とする請求項１、２、３又は４記載の上下可動キャスター。
【請求項６】
支持溝及び収納溝に対して受溝を垂直軸心をずらせて形成してなることを特徴とする請求項１、２、３、４又は５記載の上下可動キャスター。
【請求項７】
請求項１ないし６のいずれか１つの上下可動キャスターを取り付けてなることを特徴とする家具。
【発明の詳細な説明】
【技術分野】
【０００１】  本発明は、上下に可動するキャスター及びそのキャスターを取り付けてなる家具に関するものである。
【背景技術】
【０００２】  従来の技術として、取付け板に形成された貫通孔にボルトを挿入するとともにこのボルトを昇降プレートに螺合し、昇降プレートの両端部に第１アームの一端部を枢着し、前記昇降プレートの両側に連結ブラケットを配置するとともに連結ブラケットに第１アームの他端部を枢着し、各連結ブラケットにそれぞれ２つのキャスター支持部材を連結するとともに各キャスター支持部材にてキャスターを支持し、各キャスター支持部材を取付け板に対して平行移動するとともに上下動するように一対の第２アームにてそれぞれ取付け板下面に枢着して、各キャスター支持部材と取付け板とを連結した家具の移動装置がある。（特許文献１参照）【０００３】  また、別の従来技術としては、テーブルの下面に固着され、雌ねじを中央に備える雌ねじ部材を下端部に有する内側脚柱と、該内側脚柱に外嵌され、下端部に前記雌ねじ部材に螺合される上向きの雄ねじ杆を備える外側脚柱と、該外側脚柱の下部に装着され、かつ前記雄ねじ杆と同軸の軸線まわりに旋回可能なキャスターとを備えるテーブルの高さ調節装置において、前記雄ねじ杆及び前記雌ねじ部材の雌ねじを、ともにピッチの荒いものとし、前記雄ねじ杆の下端部を、前記外側脚柱の下端部に固着された軸受部材に取付けるとともに、該軸受部材の下部に設けたピッチの細かい下部雌ねじ部に、前記キャスター上部のピッチの細かいキャスター軸を螺着したことを特徴とするテーブルの高さ調節装置がある。（特許文献２参照）
【特許文献１】  特開２００３−２２５１３０号  公報
【特許文献２】  特開２００４−１３５８１９号  公報
【発明の開示】
【発明が解決しようとする課題】
【０００４】  上記前者においては、構造が複雑であり、かつ重量のある家具に対応するもので、小型の家具（タンス）やテーブル等には使用できない。
特に、テーブルの脚部に内設することはできない形態である。【０００５】  また、上記後者においては、単にテーブルの脚柱の長さの調節を行うもので、キャスターを収納する機能は有していない。【０００６】  本発明は、上記の問題点に鑑みなされたもので、その目的は、係止部を設けたキャスター本体と、上下動制御溝を形設した支持体とから構成され、シンプルな構造ながらキャスターを突出したり、収納したりすることができ、小型から大型の家具に使用できる上下可動キャスター及びその上下可動キャスターを使用した家具を提供するものである。
【課題を解決するための手段】
【０００７】  本発明は、上記目的を達成するため、上下可動キャスターにおいては、キャスターに支持軸を突設すると共に、該支持軸に係止部を設けてなるキャスター本体と、キャスター本体を下方に移動させた時、係止部を係止する受溝を、キャスター本体を上方に移動させた時、キャスターを突出すべく係止部を係止する支持溝を、再度キャスター本体を下方に移動させた時、係止部を係止する受溝を、再度キャスター本体を上方に移動させた時、キャスターを上方に収納すべく係止部を係止する収納溝を設けてなる上下動制御溝を形設してなる支持体とからなること。係止部が、水平方向に少なくとも１本突出した軸であること。支持体が、円筒状であり、内側に上下動制御溝を形設してなること。上下動制御溝が、上部に支持溝及び収納溝を設けると共に、下部に受溝を設けてなること。上下動制御溝が、上方に支持溝と収納溝を交互に形設すると共に、下方に受溝を連続して形設してなること。支持溝及び収納溝に対して受溝を垂直軸心をずらせて形成してなることを特徴とする。
また、家具においては、請求項１ないし６のいずれか１つの上下可動キャスターを取り付けてなることを特徴とする。
【発明の効果】
【０００８】  上記の構造により、本発明は以下に述べる効果を有する。
上下可動キャスターにおいては、
１）、係止部を設けたキャスター本体と、上下動制御溝を形設した支持体とからなるシンプルな構造でありながら、キャスターを突出したり、収納したりすることができ、小型から大型の家具に使用できる。
２）、係止部を、水平方向に突出した軸とすることにより、簡単な機構でありながら確実に係止できる。
３）、支持部が、円筒状で内側に上下動制御溝を形設することにより、係止部を所要の位置にて確実に係止固定できる。
４）、上下動制御溝が、上部に支持溝及び収納溝を形設すると共に、下部に受溝を連設し、受溝を支持溝及び収納溝に対して、垂直軸心をずらせて形成することにより、キャスター（キャスター本体）を上下動させることにより、自動的に係止部を回転させ、支持溝と収納溝に交互に係止固定できる。
家具においては、
１）、上記上下可動キャスターをタンスの下部４隅あるいはテーブルの脚部に設けることにより、移動時にはキャスターを突出した状態で所要位置まで持っていき、タンスやテーブルを上方に持ち上げることによりキャスター本体が自動的に回転し、収納溝に係止され、タンスやテーブルを載置することができる。
また、家具の下面にスベリ止め材を設けることにより、キャスター本体収納時において地震等による振動により摩れることなく使用できる。
【発明を実施するための最良の形態】
【実施例】
【０００９】  以下、本発明の実施の形態を図面に基づいて説明する。（図１ないし図５参照）
上下可動キャスター１は、キャスター本体２と支持体３とからなるものである。
キャスター本体２は、回転自在なキャスター２ａに円柱状の支持軸２ｂを突設すると共に、該支持軸２ｂの上部水平同心軸状に２本の軸による係止部２ｃを設けてなる。
支持体３は、円筒状に形成し、内側に上下動制御溝３ａを形設してなる。
上下動制御溝３ａは、上部に上方に傾斜した支持溝３ａ１と収納溝３ａ２を交互に形設すると共に、下部に下方に傾斜した受溝３ａ３を連続して形設してなる。【００１０】  つぎに、上記実施例における支持体３の上下動制御溝３ａを０°から３６０°までを展開し、係止部２ｃ（支持軸２ｂ）の移動について述べる。（図６参照）
まず、０°〜９０°ａ、９０°〜１８０°ｂ、１８０°〜２７０°ｃ、２７０°〜３６０°ｄとして説明する。
ａにおいては、係止部２ｃ１が受溝３ａ３１から支持溝３ａ１１へ移動し、係止固定される。（図８参照）
この時、支持体３よりキャスター本体２（支持軸２ｂ）は突出して支持されており、キャスター２ａが移動可能となる。【００１１】  また、ａからｂにおいては、一旦係止部２ｃ１を下方に移動させ、受溝３ａ３２に係止させた後、係止部２ｃ１を収納溝３ａ２１へ移動させ、係止固定する。（支持体３を上げた状態）（図７参照）【００１２】  つぎに、ｂからｃにおいては、一旦係止部２ｃ１を下方に移動させ、受溝３ａ３３に係止させた後、係止部２ｃ１を支持溝３ａ１２へ移動させ、係止固定する。（支持体３を下げた状態）（図８と同じ）【００１３】  そして、ｃからｄにおいては、一旦係止部２ｃ１を下方に移動させ、受溝３ａ３４に係止させた後、係止部２ｃ１を収納溝３ａ２２に係止固定する。（支持体３を上げた状態）（図７と同じ）【００１４】  これらを繰り返すことにより、キャスター本体２を突出したり、収納したりすることが交互にできるものである。【００１５】  なお、上記移動は、例えば上面に畳Ｔを設けた木製の下面を開口した枠Ｗを設けた移動テーブルとしての家具Ｋの枠Ｗの内側４箇所に上下可動キャスター１を取り付け、上下可動キャスター１を上げたり下げたりすることにより、自動的にキャスター本体２の支持軸２ａ（係止部２ｃ１）を回転させ、移動できるものである。
また、家具Ｋの下面にスベリ止め材ＳＢを設けるのも一考である。【００１６】  別の実施例として、支持軸２３内にスプリングＳを設けることにより、スムーズに移動させるのも一考である。
なお、上記各実施例において、係止部の数や支持溝・収納溝・受溝の数は、特に限定するものではなく、必要に応じて決めればよい。
また、キャスターも大きさ、材質等限定するものではなく、回転式や固定式等を使用すればよい。
さらに、家具においても、テーブルに限定することなく、椅子や机等、必要に応じて設定すればよい。
【図面の簡単な説明】
【００１７】
【図１】  本発明の第１実施例を示す上下可動キャスターのキャスター本体の正面図。
【図２】  本発明の第１実施例を示す上下可動キャスターのキャスター本体の平面図。
【図３】  本発明の第１実施例を示す上下可動キャスターの支持軸の正面図。
【図４】  本発明の第１実施例を示す上下可動キャスターの支持軸の側面図。
【図５】  本発明の第１実施例を示す上下可動キャスターの支持軸の平面図。
【図６】  本発明の第１実施例を示す上下可動キャスターの支持軸の展開図。
【図７】  本発明の第１実施例を示す上下可動キャスターのキャスター本体を収納した時の正面図。
【図８】  本発明の第１実施例を示す上下可動キャスターのキャスター本体を突出した時の側面図。
【図９】  本発明の第２実施例を示す上下可動キャスターの要部の斜視図。
【図１０】  本発明の実施形態を示す家具の中央縦断正面図。
【符号の説明】
【００１８】１−−−上下可動キャスター
２−−−キャスター本体
２ａ−−キャスター
２ｂ−−支持軸
２ｃ−−係止部
３−−−支持体
３ａ−−上下動制御溝
Ｋ−−−家具
【図１】
2006188112.tif 000003
【図２】
2006188112.tif 000004
【図３】
2006188112.tif 000005
【図４】
2006188112.tif 000006
【図５】
2006188112.tif 000007
【図６】
2006188112.tif 000008
【図７】
2006188112.tif 000009
【図８】
2006188112.tif 000010
【図９】
2006188112.tif 000011
【図１０】
2006188112.tif 000012